(57)【要約】【課題】  Ｘ線照射領域の自動認識と、Ｘ線撮影とのいずれに失敗したのかを容易に認識することができるＸ線撮影装置を提供する。【解決手段】  画像処理部７は、フラットパネルディテクタ２により検出したＸ線情報を画像処理することにより、Ｘ線照射領域を認識するＸ線照射領域認識部７１と、Ｘ線照射領域認識部７１により認識したＸ線照射領域以外の非有効領域を透過性を有する状態で一旦塗りつぶすとともに、Ｘ線情報の出力時に、透過性を有する状態で塗りつぶしたＸ線照射領域以外の非有効領域を黒く塗りつぶす非有効領域塗りつぶし部７２とを備える。【選択図】        図１
2013111215.tif 000002
【特許請求の範囲】
【請求項１】
被検体に向けてＸ線を照射するＸ線管と、前記Ｘ線管から照射され前記被検体を通過したＸ線を検出するＸ線検出部と、を備えたＸ線撮影装置において、
前記Ｘ線検出部により検出したＸ線情報を画像処理することにより、Ｘ線照射領域を認識するＸ線照射領域認識手段と、
前記Ｘ線照射領域認識手段により認識したＸ線照射領域以外の非有効領域を、透過性を有する状態で塗りつぶす非有効領域塗りつぶし手段を備えたことを特徴とするＸ線撮影装置。
【請求項２】
請求項１に記載のＸ線撮影装置において、
前記非有効領域塗りつぶし手段は、前記Ｘ線検出部により検出したＸ線情報の出力時に、透過性を有する状態で塗りつぶしたＸ線照射領域以外の非有効領域を、黒く塗りつぶすＸ線撮影装置。
【請求項３】
Ｘ線管から被検体に向けてＸ線を照射するとともに、前記Ｘ線管から照射され前記被検体を通過したＸ線をＸ線検出部で検出する撮影工程と、
前記撮影工程において検出したＸ線情報を画像処理することにより、Ｘ線照射領域を認識するＸ線照射領域認識工程と、
前記Ｘ線照射領域認識工程において認識したＸ線照射領域以外の非有効領域を、透過性を有する状態で塗りつぶして表示部に表示する第１の非有効領域塗りつぶし工程と、
前記第１の非有効領域塗りつぶし工程において透過性を有する状態で塗りつぶされた非有効領域が正しい場合には、前記非有効領域を黒く塗りつぶす第２の非有効領域塗りつぶし工程と、
前記第２の非有効領域塗りつぶし工程において前記非有効領域が黒く塗りつぶされた画像を保存する保存工程と、
を備えたことを特徴とするＸ線撮影方法。  
【発明の詳細な説明】
【技術分野】
【０００１】
この発明は、被検体に向けてＸ線を照射するＸ線管と、このＸ線管から照射され前記被検体を通過したＸ線を検出するＸ線検出部とを備えたＸ線撮影装置に関する。
【背景技術】
【０００２】
このようなＸ線撮影装置においては、撮影後の画像を、医師等が診断を行うために好適なものとする必要がある。例えば、特許文献１に記載の発明においては、入力画像の低周波成分を圧縮して高周波成分を伸長することにより、画像の低周波成分を減衰させて気管支などのコントラストを向上させる処理を行うために、関心領域を設定する画像処理装置が開示されている。
【０００３】
また、このようなＸ線撮影装置においては、Ｘ線撮影時に、Ｘ線が照射されたＸ線照射領域を自動的に認識し、Ｘ線照射領域以外を黒く塗りつぶすことにより、Ｘ線撮影画像を医師が診断に使用するときに、診断をより容易に行えるようにしている。
【先行技術文献】
【特許文献】
【０００４】
【特許文献１】特開第２００７−３７８６４号公報
【発明の概要】
【発明が解決しようとする課題】
【０００５】
このような場合に、Ｘ線照射領域の自動認識に失敗した場合には、画像全体が黒く塗りつぶされることになる。このときには、オペレータがＸ線撮影に失敗したと認識して、再度Ｘ線撮影を実行することから、操作に手間がかかるばかりではなく、患者は余分なＸ線を被曝することになる。これは、Ｘ線照射領域を極めて小さな領域と誤認識する場合にも同様に生ずる現象である。
【０００６】
この発明は上記課題を解決するためになされたものであり、Ｘ線照射領域の自動認識とＸ線撮影とのいずれに失敗したのかを容易に認識することができるＸ線撮影装置を提供することを目的とする。
【課題を解決するための手段】
【０００７】
請求項１に記載の発明は、被検体に向けてＸ線を照射するＸ線管と、前記Ｘ線管から照射され前記被検体を通過したＸ線を検出するＸ線検出部と、を備えたＸ線撮影装置において、前記Ｘ線検出部により検出したＸ線情報を画像処理することにより、Ｘ線照射領域を認識するＸ線照射領域認識手段と、前記Ｘ線照射領域認識手段により認識したＸ線照射領域以外の非有効領域を、透過性を有する状態で塗りつぶす非有効領域塗りつぶし手段を備えたことを特徴とする。
【０００８】
請求項２に記載の発明は、請求項１に記載の発明において、前記非有効領域塗りつぶし手段は、前記Ｘ線検出部により検出したＸ線情報の出力時に、透過性を有する状態で塗りつぶしたＸ線照射領域以外の非有効領域を、黒く塗りつぶす。
【０００９】
請求項３に記載の発明は、Ｘ線管から被検体に向けてＸ線を照射するとともに、前記Ｘ線管から照射され前記被検体を通過したＸ線をＸ線検出部で検出する撮影工程と、前記撮影工程において検出したＸ線情報を画像処理することにより、Ｘ線照射領域を認識するＸ線照射領域認識工程と、前記Ｘ線照射領域認識工程において認識したＸ線照射領域以外の非有効領域を、透過性を有する状態で塗りつぶして表示部に表示する第１の非有効領域塗りつぶし工程と、前記第１の非有効領域塗りつぶし工程において透過性を有する状態で塗りつぶされた非有効領域が正しい場合には、前記非有効領域を黒く塗りつぶす第２の非有効領域塗りつぶし工程と、前記第２の非有効領域塗りつぶし工程において前記非有効領域が黒く塗りつぶされた画像を保存する保存工程とを備えたことを特徴とする。  
【発明の効果】
【００１０】
請求項１に記載の発明によれば、Ｘ線照射領域以外の非有効領域を透過性を有する状態で塗りつぶすことから、Ｘ線照射領域の自動認識に失敗したのか、Ｘ線撮影に失敗したのかを容易に認識することができる。このため、Ｘ線撮影に成功しているにもかかわらず、再度、Ｘ線撮影が実行されることを防止することができる。
【００１１】
請求項２に記載の発明によれば、Ｘ線領域の自動認識を正確に行った後にＸ線照射領域以外の非有効領域を黒く塗りつぶすことができ、正確に塗りつぶしが実行されて、診断を容易に行うことが可能となる。
【００１２】
請求項３に記載の発明によれば、Ｘ線照射領域の自動認識に失敗したのか、Ｘ線撮影に失敗したのかを容易に認識することができ、Ｘ線撮影に成功しているにもかかわらず再度、Ｘ線撮影が実行されることを防止することができるとともに、Ｘ線領域の自動認識を正確に行った後にＸ線照射領域以外の非有効領域を黒く塗りつぶすことから、正確に塗りつぶしが実行されて診断を容易に行うことが可能となる。
【図面の簡単な説明】
【００１３】
【図１】この発明に係るＸ線撮影装置の概要図である。
【図２】この発明に係るＸ線撮影装置によるＸ線撮影後の画像表示動作を示すフローチャートである。
【図３】表示部１０における表示画面を示す模式図である。
【図４】表示部１０における表示画面を示す模式図である。
【図５】表示部１０における表示画面を示す模式図である。
【図６】表示部１０における表示画面を示す模式図である。
【図７】表示部１０における表示画面を示す模式図である。
【図８】表示部１０における表示画面を示す模式図である。
【発明を実施するための形態】
【００１４】
以下、この発明の実施の形態を図面に基づいて説明する。図１は、この発明に係るＸ線撮影装置の概要図である。
【００１５】
このＸ線撮影装置は、被検体である患者４を載置するテーブル３と、Ｘ線管１と、Ｘ線管１に付与する管電圧等を制御する高電圧発生部８と、Ｘ線検出部としてのフラットパネルディテクタ２と、装置全体を制御する制御部６と、後述するＸ線領域認識部７１および非有効領域塗りつぶし部７２とを有する画像処理部７と、ハードディスク等を備えた記憶部９と、ＣＲＴ等から構成される表示部１０とを備える。
【００１６】
このＸ線撮影装置においては、Ｘ線管１からテーブル３上の患者４に向けてＸ線を照射し、患者４を通過したＸ線をフラットパネルディテクタ２により検出し、検出されたＸ線を画像処理部７において画像処理し、画像処理されたＸ線による映像信号を利用して表示部１０にＸ線画像を表示する。
【００１７】
このとき、画像処理部７におけるＸ線照射領域認識部７１は、フラットパネルディテクタ２により検出したＸ線情報を画像処理することにより、Ｘ線が照射されたＸ線照射領域を認識する。また、画像処理部7における非有効領域塗りつぶし部７２は、画像領域のうち、Ｘ線照射領域認識部７１により認識したＸ線照射領域以外の非有効領域を、透過性を有する状態あるいは黒色に塗りつぶす。
【００１８】
以下、この発明に係るＸ線撮影装置によるＸ線撮影動作について説明する。図２は、この発明に係るＸ線撮影装置によるＸ線撮影後の画像表示動作を示すフローチャートである。
【００１９】
最初に、Ｘ線撮影を実行する(ステップＳ１)このときには、Ｘ線管１からテーブル３上の患者４に向けてＸ線を照射し、患者４を通過したＸ線をフラットパネルディテクタ２により検出し、検出されたＸ線による画像信号を画像処理部７に送信する。
【００２０】
画像処理部７においては、最初に、この画像信号に基づいてＸ線照射領域を認識する(ステップＳ２)。すなわち、画像処理部７におけるＸ線照射領域認識部７１は、フラットパネルディテクタ２により検出したＸ線情報に対して、エッジ検出等の画像処理を施すことにより、Ｘ線が照射されたＸ線照射領域を認識する。
【００２１】
図３から図８は、表示部１０における表示画面を示す模式図である。
【００２２】
図３に示すように、画像処理部７におけるＸ線照射領域認識部７１は、フラットパネルディテクタ２により検出したＸ線情報に対して、エッジ検出等の画像処理を施すことにより、Ｘ線が照射されたＸ線照射領域を認識して、表示部１０の表示画面における画像領域１００を、Ｘ線照射領域１０１と、Ｘ線照射領域１０１以外の非有効領域１０２とに区分する。この場合には、Ｘ線照射野を規制するコリメータの開度情報等が参考情報として利用される。
【００２３】
図３に示すように、Ｘ線照射領域１０１においては、患者４の画像(この実施形態においては患者４における頸椎付近の画像)が鮮明に表示される。また、非有効領域１０２においては、患者４の画像が不鮮明に(ぼんやりと)表示される。なお、図３における符号１０３は患者４の氏名を表示する領域、符号１０４は撮影部位に対応した撮影条件を選択するアイコン領域、符号１０５は操作用のアイコン領域を示している。
【００２４】
次に、画像処理部７は、Ｘ線照射領域認識部７１により認識したＸ線照射領域１０１以外の非有効領域１０２を、透過性を有する状態で塗りつぶして表示部１０に表示する第１の非有効領域塗りつぶし工程を実行する(ステップＳ３)。すなわち、画像処理部７における非有効領域塗りつぶし部７２は、図４においてハッチングを付して示すように、表示部１０の表示画面の画像領域１００におけるＸ線照射領域１０１以外の非有効領域１０２を、その領域の画像が認識可能なように、透過性を有する状態で塗りつぶす。
【００２５】
ここで、従来の装置においては、図５に示すように、Ｘ線照射領域１０１以外の非有効領域１０２を黒く塗りつぶしていた。このようにＸ線照射領域１０１以外の非有効領域１０２を黒く塗りつぶした場合には、Ｘ線撮影画像を医師が診断に使用するときに、診断をより容易に行えるという利点がある。
【００２６】
しかしながら、例えば、Ｘ線照射領域１０１の自動認識に失敗した場合、あるいは、Ｘ線照射領域１０１を極めて小さな領域と誤認識した場合には、図６に示すように、画像全体が黒く塗りつぶされることになる。このような場合においては、オペレータがＸ線撮影に失敗したと認識して、再度Ｘ線撮影を実行することになり、操作に手間がかかるばかりではなく、患者は余分なＸ線を被曝することになる。
【００２７】
しかしながら、この発明に係るＸ線撮影装置においては、Ｘ線照射領域１０１の自動認識に失敗した場合やＸ線照射領域１０１を極めて小さな領域と誤認識した場合には、図７に模式的に示すように、画像全体が透過性を有する状態で塗りつぶされることになる。このため、オペレータは、Ｘ線撮影に失敗したのではなく、Ｘ線照射領域認識部７１が認識したＸ線照射領域１０１が誤っていると判断することができる。
【００２８】
そして、Ｘ線照射領域認識部７１が認識したＸ線照射領域１０１が誤っていると判断した場合には(ステップＳ４)、オペレータが手動操作により、塗りつぶし領域を設定する（ステップＳ５）。そして、ステップＳ３に戻り、領域を再度確認する。一方、Ｘ線照射領域認識部７１が認識したＸ線照射領域１０１が正しい場合には(ステップＳ４)、Ｘ線情報の出力指令を待つ(ステップＳ６）。
【００２９】
ここで、Ｘ線情報の出力とは、画像処理部で画像処理したＸ線情報(Ｘ線画像）を、表示部１０に表示し、あるいは、記憶部９に記録することを指す。この動作は、オペレータが操作ボタン等を操作することにより実行してもよく、あるいは、オペレータが検査終了操作を行った場合に並行して実行してもよい。
【００３０】
Ｘ線情報の出力指令がなされた場合には(ステップＳ６)、画像処理部７は、Ｘ線照射領域認識部７１により認識したＸ線照射領域１０１以外の非有効領域１０２を、黒く塗りつぶして表示部１０に表示する第２の非有効領域塗りつぶし工程を実行する(ステップＳ７)。すなわち、画像処理部７における非有効領域塗りつぶし部７２は、図５に示すように、表示部１０の表示画面の画像領域１００におけるＸ線照射領域１０１以外の非有効領域１０２を、黒く塗りつぶす。これにより、このＸ線撮影画像を医師が診断に使用するときに、診断をより容易に行うことができる。
【００３１】
また、Ｘ線情報の出力指令がなされた場合には(ステップＳ６)、画像処理部７は、図５に示すように、Ｘ線照射領域１０１以外の非有効領域１０２を黒く塗りつぶした画像を、記憶部９に記録する(ステップＳ８)。
【００３２】
なお、上述した実施形態においては、非有効領域塗りつぶし部７２は、Ｘ線照射領域１０１以外の非有効領域１０２を透過性を有する状態で一旦塗りつぶした後(ステップＳ３)、Ｘ線情報の出力時にこの領域を黒く塗りつぶしている(ステップＳ７)。しかしながら、図８において模式的に示すように、非有効領域塗りつぶし部７２は、Ｘ線照射領域１０１とＸ線照射領域１０１以外の非有効領域１０２とを、透過性を有する状態で塗りつぶしてもよい。
【００３３】
例えば、Ｘ線照射領域１０１と、Ｘ線照射領域１０１以外の非有効領域１０２とを、各々、透過性を有する異なる色で４塗りつぶしてもよい。この場合においては、画像処理部７は、Ｘ線照射領域認識部７１が認識したＸ線照射領域１０１が正しいときには、図５に示すように、Ｘ線照射領域１０１の塗りつぶしを解除するとともに、Ｘ線照射領域１０１以外の非有効領域１０２を黒く塗りつぶした後、このＸ線情報(Ｘ線画像）を、表示部１０に表示するとともに、記憶部９に記録する。
【００３４】
また、Ｘ線照射領域１０１を透過性が高い状態で塗りつぶすとともに、Ｘ線照射領域１０１以外の非有効領域１０２を透過性が低い状態で塗りつぶすようにしてもよい。この場合においては、画像処理部７は、Ｘ線照射領域認識部７１が認識したＸ線照射領域１０１が正しいときに、図８に示すように、そのままのＸ線情報(Ｘ線画像）を、表示部１０に表示するとともに、記憶部９に記録する。この場合には、このＸ線撮影画像を医師が診断に使用するときの視認性は若干低下するが、非有効領域１０２を黒く塗りつぶす工程を省略することが可能となる。
【符号の説明】
【００３５】
１        Ｘ線管
２        フラットパネルディテクタ
３        テーブル
４        患者
６        制御部
７        画像処理部
８        高電圧発生部
９        記憶部
１０      表示部
７１      Ｘ線照射領域認識部
７２      非有効領域塗りつぶし部
１００    画像領域
１０１    Ｘ線照射領域
１０２    非有効領域
【図１】
2013111215.tif 000003
【図２】
2013111215.tif 000004
【図３】
2013111215.tif 000005
【図４】
2013111215.tif 000006
【図５】
2013111215.tif 000007
【図６】
2013111215.tif 000008
【図７】
2013111215.tif 000009
【図８】
2013111215.tif 000010